(57)【要約】【課題】モニタの画質向上を図りながらも、パンチルト操作をスムーズに行うことができる出画モード切替システム及び出画モード切替方法を提供する。【解決手段】制御機器２は、カメラ４に対してパン動作やチルト動作させるためのパンチルトコマンドを送信する際に画質切替コマンドを送信し、モニタ５は、カメラ４からの映像信号を一時的に保持するフレームメモリ５２を有し、制御機器２から送信された画質切替コマンドを受信すると、カメラ４からの映像信号を表示する出画モードを、フレームメモリ５２を使用する「画質優先」モードからフレームメモリ５２を使用しない「動き優先」モードに切替える。これにより、パンチルト操作の際に、パンチルト操作とモニタ５上の映像の動きが一致し、パンチルト操作をスムーズに行うことが可能となる。【選択図】図１
2010278629.tif 000002
【特許請求の範囲】
【請求項１】
カメラに対してパン動作またはチルト動作させるためのパンチルトコマンドを送信する際、画質切替コマンドを送信する制御機器と、
前記制御機器から送信された前記画質切替コマンドを受信して、前記カメラからの映像信号を表示する出画モードを「画質優先」モードから「動き優先」モードに切替えるモニタと、
を備えた出画モード切替システム。
【請求項２】
前記制御機器は、前記カメラからの映像信号を前記モニタに出力する映像切替部を有している請求項１に記載の出画モード切替システム。
【請求項３】
前記モニタは、前記「画像優先」モードにおいて前記カメラからの映像信号を一時的に保持するフレームメモリを有している請求項１又は請求項２に記載の出画モード切替システム。
【請求項４】
カメラに対してパン動作またはチルト動作させるためのパンチルトコマンドを送信する際、画質切替コマンドを送信するコマンド送信ステップと、
前記コマンド送信ステップで送信された前記画質切替コマンドを受信して、前記カメラからの映像信号を表示する出画モードを「画質優先」モードから「動き優先」モードに切替えるモード切替ステップと、
を備えた出画モード切替方法。
【発明の詳細な説明】
【技術分野】
【０００１】
本発明は、監視システムに用いて好適な出画モード切替システム及び出画モード切替方法に関する。
【背景技術】
【０００２】
監視システムは、一般的に、複数のカメラと、各カメラからの映像を記録するレコーダと、各カメラからの映像を表示するモニタとから構成される。
【０００３】
従来の監視システムでは、モニタの画質を向上させるために、カメラからの映像信号をフレームメモリに蓄積して出力するようにしている。すなわち、現在のフレームと前のフレームとを比較してノイズを除去するために映像信号をフレームメモリに蓄積するようにしている。
【０００４】
フレームメモリを使用して高画質に動画を表示するようにしたものとして、例えば特許文献１で開示された液晶表示方法が知られている。この特許文献１で開示された液晶表示方法は、輝度情報及び色差情報を有する入力映像情報を入力し、入力映像情報の輝度情報から、入力映像情報を１フレーム遅延させて得られる遅延輝度情報を引いて輝度差分情報を求め、入力映像情報の色差情報から、入力映像情報を１フレーム遅延させて得られる遅延色差情報を引いて色差差分情報を求め、輝度差分情報と色差差分情報とに強調補正係数を乗じ、強調補正係数を乗じた輝度差分情報に遅延輝度情報を加算するとともに、強調補正係数を乗じた色差差分情報に遅延色差情報を加算して、強調された映像情報である強調映像情報を求めて赤、緑、青に関する階調情報である強調階調情報に変換し、強調階調情報に基づいて液晶表示装置の映像表示領域の表示を行う。
【先行技術文献】
【特許文献】
【０００５】
【特許文献１】特開２００６−２５１７９３号公報
【発明の概要】
【発明が解決しようとする課題】
【０００６】
しかしながら、モニタの画質向上のためにカメラからの映像信号をフレームメモリに蓄積するようにすると、パンチルト操作した際に、カメラの動きが操作者の感覚より遅くなってしまい、スムーズな操作性が得られなくなる問題がある。
【０００７】
本発明は、係る事情に鑑みてなされたものであり、モニタの画質向上を図りながらも、パンチルト操作をスムーズに行うことができる出画モード切替システム及び出画モード切替方法を提供することを目的とする。
【課題を解決するための手段】
【０００８】
本発明の出画モード切替システムは、カメラに対してパン動作またはチルト動作させるためのパンチルトコマンドを送信する際、画質切替コマンドを送信する制御機器と、前記制御機器から送信された前記画質切替コマンドを受信して、前記カメラからの映像信号を表示する出画モードを「画質優先」モードから「動き優先」モードに切替えるモニタと、を備えた。
【０００９】
上記構成によれば、パンチルト操作の際に、モニタ側でカメラからの映像信号を表示する出画モードを「画質優先」モードから「動き優先」モードに切替えるので、パンチルト操作とモニタ上の映像の動きが一致し、パンチルト操作をスムーズに行うことが可能となる。
【００１０】
上記構成において、前記制御機器は、前記カメラからの映像信号を前記モニタに出力する映像切替部を有している。
【００１１】
上記構成によれば、任意のカメラの映像信号を、任意のモニタに出力することができる。
【００１２】
上記構成において、前記モニタは、前記「画像優先」モードにおいて前記カメラからの映像信号を一時的に保持するフレームメモリを有している。
【００１３】
上記構成によれば、フレームメモリに映像信号を保持させることで、現在のフレームと前のフレームとを比較してノイズを除去することができ、モニタの画質向上が図れる。
【００１４】
本発明の出画モード切替方法は、カメラに対してパン動作またはチルト動作させるためのパンチルトコマンドを送信する際、画質切替コマンドを送信するコマンド送信ステップと、前記コマンド送信ステップで送信された前記画質切替コマンドを受信して、前記カメラからの映像信号を表示する出画モードを「画質優先」モードから「動き優先」モードに切替えるモード切替ステップと、を備えた。
【００１５】
上記方法によれば、パンチルト操作の際に、モニタ側でカメラからの映像信号を表示する出画モードを「画質優先」モードから「動き優先」モードに切替えるので、パンチルト操作とモニタ上の映像の動きが一致し、パンチルト操作をスムーズに行うことが可能となる。
【発明の効果】
【００１６】
本発明は、モニタの画質向上を図りながらも、パンチルト操作をスムーズに行うことができる。
【図面の簡単な説明】
【００１７】
【図１】本発明の一実施の形態に係る出画モード切替システムの概略構成を示すブロック図
【図２】図１の出画モード切替システムのモニタの概略構成を示すブロック図
【図３】図１の出画モード切替システムの動作を説明するための図
【発明を実施するための形態】
【００１８】
以下、本発明を実施するための好適な実施の形態について、図面を参照して詳細に説明する。
【００１９】
図１は、本発明の一実施の形態に係る出画モード切替システムの概略構成を示すブロック図である。同図において、本実施の形態の出画モード切替システム１は、例えば監視システムに適用したものであり、制御機器２と、コントローラ３と、カメラ４と、モニタ（例えば液晶モニタ）５とを備えて構成される。カメラ４及びモニタ５は、実際にはそれぞれ複数台設けられるが、図１ではそれぞれを１台示している。
【００２０】
制御機器２は、ＣＰＵ（Central Processing Unit）２１と、入出力接続テーブル２２と、コマンド送信部２３と、映像切替部２４と、コマンド処理部２５と、コマンド送信部２６と、各部を接続するバスライン２７とを備えて構成される。ＣＰＵ２１は、制御機器２の各部を制御するものであり、図示せぬＲＯＭ等の不揮発性メモリに格納されたプログラムに従って動作する。入出力接続テーブル２２は、カメラ４とモニタ５の接続関係を示すテーブルである。操作者がコントローラ３を操作してカメラ４とモニタ５の選択を行った際に、その接続関係が入出力接続テーブル２２に記録される。カメラ４とモニタ５の選択を行う毎にテーブル内容が更新される。
【００２１】
コマンド送信部２３は、カメラ４に対して、パン動作やチルト動作をさせるためのパンチルトコマンドを送信する。この場合、コマンド送信部２３は、コントローラ３からパンチルトコマンドが出力された際に、ＣＰＵ２１の制御によってパンチルトコマンドを送信する。映像切替部２４は、映像の切替えを行うものであり、操作者が選択したカメラ４とモニタ５とを接続する。図１では＃１のカメラ４と＃１のモニタ５とが選択されており、＃１のカメラ４からのアナログ映像信号又はデジタル映像信号（以下、単に“映像信号”と呼ぶ）Ｓ１が、＃１のモニタ５へ送られる。カメラ４とモニタ５の選択は、上述したようにコントローラ３の操作によって行われる。
【００２２】
コマンド処理部２５は、コントローラ３からのパンチルトコマンド、カメラ及びモニタの選択コマンド等の各種コマンドを受付けて、ＣＰＵ２１の処理に利用可能な形式のデータに変換してＣＰＵ２１に与える。コマンド送信部２６は、操作者が選択したモニタ５に対して画質切替コマンドを送信する。コマンド送信部２６は、コントローラ３からパンチルトコマンドが出力された場合、ＣＰＵ２１の制御によって画質切替コマンドを送信する。コントローラ３は、ジョイスティック３１を有し、操作者によるジョイスティック３１の操作に応じて、上述したパンチルトコマンド、カメラ及びモニタの選択コマンド等の各種コマンドを出力する。
【００２３】
モニタ５は、出画モードとして「画質優先」と「動き優先」の２つのモードを有し、通常は「画質優先」モードとなり、制御機器２から画質切替コマンドを受けた場合に「動き優先」モードに切替わる。「動き優先」モードは、映像信号をフレームメモリに蓄えて画質を向上させる処理を飛ばして映像信号を遅延なく表示するもので、コントローラ３のジョイスティック３１の動きとモニタ上の映像の動きが一致し、パンチルト操作をスムーズに行うことを可能にするものである。また、モニタ５は、一定時間画質切替コマンドが来ない場合は自動的に「画質優先」モードに切替える。
【００２４】
図２は、モニタ５の概略構成を示すブロック図である。同図において、モニタ５は、ＬＣＤパネル５１と、フレームメモリ５２と、コマンド処理部５３と、切替スイッチ５４とを備えて構成される。フレームメモリ５２は、上述したように映像信号を蓄積する。「画質優先」モードでは、フレームメモリ５２に蓄積された前のフレームの映像信号と現在のフレームの映像信号とが比較されてノイズの除去が行われる。この画質向上処理はＬＣＤパネル５１に内蔵された処理回路（図示略）にて行われる。コマンド処理部５３は、入力されたコマンドを処理し、画質切替コマンドの場合には切替スイッチ５４を「動き優先」モード側に切替える。すなわち、切替スイッチ５４の共通端子ｃを端子ａ側から端子ｂ側に切替える。これにより、制御機器２からの映像信号が直接ＬＣＤパネル５１に入力される。
【００２５】
このように、カメラ４のパンチルトを調整するために、操作者がコントローラ３を操作することで、制御機器２から画質切替コマンドがモニタ５に発行される。モニタ５は、画質切替コマンドを受け取ると、出画モードを「画質優先」モードから「動き優先」モードに切替える。「動き優先」モードになると、コントローラ３のジョイスティック３１の動きとモニタ上の映像の動きが一致し、パンチルト操作をスムーズに行うことが可能となる。また、一定時間画質切替コマンドが来ない場合、モニタ５は自動的に「画質優先」モードに切替わる。
【００２６】
図３は、本実施の形態の出画モード切替システム１の動作を説明するための図である。  （１）まず操作者がコントローラ３を操作してカメラ映像を表示させるモニタ５を複数のモニタ５の中から１つ選択する。このとき＃１のモニタ５を選択したとすると、コントローラ３から＃１のモニタ５を選択するコマンドが制御機器２に発行される。
（２）次いで、操作者がコントローラ３を操作して複数のカメラ４の中から１つ選択する。このとき＃１のカメラ４を選択したとすると、コントローラ３から＃１のカメラ４を選択するコマンドが制御機器２に発行される。これにより、＃１のモニタ５に＃１のカメラ４の映像が映し出される。このとき、ＣＰＵ２１により＃１のモニタ５と＃１のカメラ４の接続関係が入出力接続テーブル２２に反映され、更新される。
【００２７】
（３）次いで、操作者がコントローラ３のジョイスティック３１を操作する。これにより、パンチルトコマンドが制御機器２に発行される。制御機器２は、コントローラ３から発行されたパンチルトコマンドを受けると、＃１のカメラ４にパンチルトコマンドを発行し、＃１のカメラ４を動作させる。それと同時に、入出力接続テーブル２２により＃１のカメラ４の映像を出力している＃１のモニタ５に画質切替コマンドを発行する。これにより、＃１のモニタ５は、それまでの「画質優先」モードから「動き優先」モードに切替わる。以後、ジョイスティック３１が操作される毎に、制御機器２から＃１のカメラ４に対してパンチルトコマンドが発行されるとともに、＃１のモニタ５に対して画質切替コマンドが発行される。
【００２８】
（４）＃１のモニタ５は、一定時間を超えて画質切替コマンドを受けない場合は、自動的に「画質優先」モードに切替わる。
以上の動作は、＃１のカメラ４及び＃１のモニタ５に限らず、他の全てのカメラ４とモニタ５にて同様に行われる。
なお、モニタ５は、多画面表示している場合でも画質切替コマンドを受けることで、「動き優先」モードに切替えるようにしてもよい。多画面表示している場合に「動き優先」モードに切替えると、該当画面以外の画面も画質が低下するので、このような状況になるのを好まなければ、「動き優先」モードに切替えるようにしなくてもよい。
【００２９】
このように本実施の形態の出画モード切替システム１によれば、制御機器２は、カメラ４に対してパン動作やチルト動作させるためのパンチルトコマンドを送信する際に画質切替コマンドを送信し、モニタ５は、カメラ４からの映像信号を一時的に保持するフレームメモリ５２を有し、制御機器２から送信された画質切替コマンドを受信すると、カメラ４からの映像信号を表示する出画モードを、フレームメモリ５２を使用する「画質優先」モードからフレームメモリ５２を使用しない「動き優先」モードに切替えるので、パンチルト操作の際に、パンチルト操作とモニタ５上の映像の動きが一致し、パンチルト操作をスムーズに行うことが可能となる。
【産業上の利用可能性】
【００３０】
本発明は、モニタの画質向上を図りながらも、パンチルト操作をスムーズに行うことができるといった効果を有し、監視システムなどへの適用が可能である。
【符号の説明】
【００３１】
１  出画モード切替システム
２  制御機器
３  コントローラ
４  カメラ
５  モニタ
２１  ＣＰＵ
２２  入出力接続テーブル
２３、２６  コマンド送信部
２４  映像切替部
２５、５３  コマンド処理部
２７  バスライン
３１  ジョイスティック
５１  ＬＣＤパネル
５２  フレームメモリ
５４  切替スイッチ
【図１】
2010278629.tif 000003
【図２】
2010278629.tif 000004
【図３】
2010278629.tif 000005